(57)【要約】【課題】小型軽量かつ良好な結像性能を有する撮影レンズを提供する。【解決手段】光軸に沿って物体側から順に並んだ、正の屈折力を有する第１レンズ群Ｇ１と、負の屈折力を有する第２レンズ群Ｇ２と、第３レンズ群Ｇ３とを有し、無限遠物体から有限距離物体への合焦の際、第２レンズ群Ｇ２が光軸に沿って移動するように構成された撮影レンズＭＬにおいて、第３レンズ群Ｇ３における一部の正レンズの屈折率をｎd3pとし、当該正レンズのアッベ数をνd3pとし、当該正レンズの部分分散比をθg3pとしたとき、条件式「ｎd3p＜1.65」および「−0.030＜θg3p＋（0.00213×νd3p）−1.36716＜−0.005」を満足するように構成されている。【選択図】図１
2014211495.tif 000002
【特許請求の範囲】
【請求項１】
光軸に沿って物体側から順に並んだ、正の屈折力を有する第１レンズ群と、負の屈折力を有する第２レンズ群と、第３レンズ群とを有し、無限遠物体から有限距離物体への合焦の際、前記第２レンズ群が光軸に沿って移動するように構成された撮影レンズであって、
以下の条件式を満足することを特徴とする撮影レンズ。
ｎd3p＜1.65
−0.030＜θg3p＋（0.00213×νd3p）−1.36716＜−0.005
但し、
ｎd3p：前記第３レンズ群における少なくとも１つの正レンズ成分のｄ線の屈折率、
νd3p：前記第３レンズ群における前記正レンズ成分のｄ線のアッベ数、
θg3p：前記第３レンズ群における前記正レンズ成分のｄ線に対するｇ線の部分分散比であり、前記正レンズ成分のｇ線の屈折率をｎg3pとし、前記正レンズ成分のＦ線の屈折率をｎF3pとし、前記正レンズ成分のＣ線の屈折率をｎC3pとしたとき、次式
θg3p＝（ｎg3p−ｎd3p）／（ｎF3p−ｎC3p）
で定義される。
【請求項２】
以下の条件式を満足することを特徴とする請求項１に記載の撮影レンズ。
0.010＜θg3n＋（0.00213×νd3n）−1.36716＜0.090
但し、
νd3n：前記第３レンズ群における少なくとも１つの負レンズ成分のｄ線のアッベ数、
θg3n：前記第３レンズ群における前記負レンズ成分のｄ線に対するｇ線の部分分散比であり、前記負レンズ成分のｄ線の屈折率をｎd3nとし、前記負レンズ成分のｇ線の屈折率をｎg3nとし、前記負レンズ成分のＦ線の屈折率をｎF3nとし、前記負レンズ成分のＣ線の屈折率をｎC3nとしたとき、次式
θg3n＝（ｎg3n−ｎd3n）／（ｎF3n−ｎC3n）
で定義される。
【請求項３】
前記第３レンズ群は、光軸に沿って物体側から順に並んだ、正の屈折力を有する前群と、前記前群に対し前記第３レンズ群の中で最も長い空気間隔を隔てた負の屈折力を有する後群とからなり、
前記第３レンズ群における前記正レンズ成分が、少なくとも前記後群に配置されることを特徴とする請求項１または２に記載の撮影レンズ。
【請求項４】
前記第３レンズ群は、光軸に沿って物体側から順に並んだ、正の屈折力を有する前群と、前記前群に対し前記第３レンズ群の中で最も長い空気間隔を隔てた負の屈折力を有する後群とからなり、
前記第３レンズ群における前記負レンズ成分が、少なくとも前記後群に配置されることを特徴とする請求項２に記載の撮影レンズ。
【請求項５】
前記第３レンズ群のうち少なくとも一部のレンズが、光軸と垂直な方向の成分を有するように移動可能に設けられていることを特徴とする請求項１から４のいずれか一項に記載の撮影レンズ。
【請求項６】
前記第１レンズ群は、光軸に沿って物体側から順に並んだ、第１の正レンズ成分と、第２の正レンズ成分と、負レンズ成分とを有し、
前記第１レンズ群における前記負レンズ成分よりも像側に第３の正レンズ成分が配置されることを特徴とする請求項１から５のいずれか一項に記載の撮影レンズ。
【請求項７】
以下の条件式を満足することを特徴とする請求項６に記載の撮影レンズ。
ｎL1f＜1.55
但し、
ｎL1f：前記第１レンズ群における前記第１から第３の正レンズ成分のうち少なくとも１つのｄ線の屈折率。
【請求項８】
以下の条件式を満足することを特徴とする請求項６または７に記載の撮影レンズ。
νL1f＞80.0
但し、
νL1f：前記第１レンズ群における前記第１から第３の正レンズ成分のうち少なくとも１つのｄ線のアッベ数。
【請求項９】
前記第１レンズ群における前記第１から第３の正レンズ成分のうち少なくとも１つが、前記第３の正レンズ成分であることを特徴とする請求項７または８に記載の撮影レンズ。
【請求項１０】
以下の条件式を満足することを特徴とする請求項１から９のいずれか一項に記載の撮影レンズ。
0.010＜θg1p＋（0.00213×νd1p）−1.36716＜0.090
但し、
νd1p：前記第１レンズ群における少なくとも１つの正レンズ成分のｄ線のアッベ数、
θg1p：前記第１レンズ群における前記正レンズ成分のｄ線に対するｇ線の部分分散比であり、前記正レンズ成分のｄ線の屈折率をｎd1pとし、前記正レンズ成分のｇ線の屈折率をｎg1pとし、前記正レンズ成分のＦ線の屈折率をｎF1pとし、前記正レンズ成分のＣ線の屈折率をｎC1pとしたとき、次式
θg1p＝（ｎg1p−ｎd1p）／（ｎF1p−ｎC1p）
で定義される。
【請求項１１】
前記第１レンズ群は、光軸に沿って物体側から順に並んだ、前群と、前記前群に対し前記第１レンズ群の中で最も長い空気間隔を隔てた後群とからなり、
以下の条件式を満足することを特徴とする請求項１から１０のうちいずれか一項に記載の撮影レンズ。
Ｄ1ab／Ｄ1＞0.28
但し、
Ｄ1：前記第１レンズ群の長さ、
Ｄ1ab：前記第１レンズ群における前記前群と前記後群との空気間隔。
【請求項１２】
物体の像を所定の面上に結像させる撮影レンズを備えた光学機器であって、
前記撮影レンズが請求項１から１１のいずれか一項に記載の撮影レンズであることを特徴とする光学機器。
【請求項１３】
光軸に沿って物体側から順に、正の屈折力を有する第１レンズ群と、負の屈折力を有する第２レンズ群と、第３レンズ群とを配置する撮影レンズの製造方法であって、
無限遠物体から有限距離物体への合焦の際、前記第２レンズ群が光軸に沿って移動し、
以下の条件式を満足するようにしたことを特徴とする撮影レンズの製造方法。
ｎd3p＜1.65
−0.030＜θg3p＋（0.00213×νd3p）−1.36716＜−0.005
但し、
ｎd3p：前記第３レンズ群における少なくとも１つの正レンズ成分のｄ線の屈折率、
νd3p：前記第３レンズ群における前記正レンズ成分のｄ線のアッベ数、
θg3p：前記第３レンズ群における前記正レンズ成分のｄ線に対するｇ線の部分分散比であり、前記正レンズ成分のｇ線の屈折率をｎg3pとし、前記正レンズ成分のＦ線の屈折率をｎF3pとし、前記正レンズ成分のＣ線の屈折率をｎC3pとしたとき、次式
θg3p＝（ｎg3p−ｎd3p）／（ｎF3p−ｎC3p）
で定義される。
【発明の詳細な説明】
【技術分野】
【０００１】
本発明は、撮影レンズ、この撮影レンズを備えた光学機器、および撮影レンズの製造方法に関する。
【背景技術】
【０００２】
従来から、写真用カメラ、電子スチルカメラ、ビデオカメラ等に適した撮影レンズが提案されている。撮影レンズの中で、長焦点距離でありながら、小型で良好な結像性能を有し、機械的に構成可能なレンズタイプとして、インナーフォーカス式のテレフォトタイプが多く用いられている（例えば、特許文献１および特許文献２を参照）。
【先行技術文献】
【特許文献】
【０００３】
【特許文献１】特開２０１１−０８５７８８号公報
【特許文献２】特開２００９−１８０８２７号公報
【発明の概要】
【発明が解決しようとする課題】
【０００４】
しかしながら、このような撮影レンズに対し、さらなる小型軽量化と良好な結像性能が要望されている。
【０００５】
本発明は、このような問題に鑑みてなされたものであり、小型軽量かつ良好な結像性能を有した撮影レンズ、光学機器、および撮影レンズの製造方法を提供することを目的とする。
【課題を解決するための手段】
【０００６】
このような目的達成のため、本発明に係る撮影レンズは、光軸に沿って物体側から順に並んだ、正の屈折力を有する第１レンズ群と、負の屈折力を有する第２レンズ群と、第３レンズ群とを有し、無限遠物体から有限距離物体への合焦の際、前記第２レンズ群が光軸に沿って移動するように構成された撮影レンズであって、以下の条件式を満足している。
【０００７】
ｎd3p＜1.65
−0.030＜θg3p＋（0.00213×νd3p）−1.36716＜−0.005
但し、
ｎd3p：前記第３レンズ群における少なくとも１つの正レンズ成分のｄ線の屈折率、
νd3p：前記第３レンズ群における前記正レンズ成分のｄ線のアッベ数、
θg3p：前記第３レンズ群における前記正レンズ成分のｄ線に対するｇ線の部分分散比であり、前記正レンズ成分のｇ線の屈折率をｎg3pとし、前記正レンズ成分のＦ線の屈折率をｎF3pとし、前記正レンズ成分のＣ線の屈折率をｎC3pとしたとき、次式
θg3p＝（ｎg3p−ｎd3p）／（ｎF3p−ｎC3p）
で定義される。
【０００８】
なお、上述の撮影レンズにおいて、以下の条件式を満足することが好ましい。
【０００９】
0.010＜θg3n＋（0.00213×νd3n）−1.36716＜0.090
但し、
νd3n：前記第３レンズ群における少なくとも１つの負レンズ成分のｄ線のアッベ数、
θg3n：前記第３レンズ群における前記負レンズ成分のｄ線に対するｇ線の部分分散比であり、前記負レンズ成分のｄ線の屈折率をｎd3nとし、前記負レンズ成分のｇ線の屈折率をｎg3nとし、前記負レンズ成分のＦ線の屈折率をｎF3nとし、前記負レンズ成分のＣ線の屈折率をｎC3nとしたとき、次式
θg3n＝（ｎg3n−ｎd3n）／（ｎF3n−ｎC3n）
で定義される。
【００１０】
また、上述の撮影レンズにおいて、前記第３レンズ群は、光軸に沿って物体側から順に並んだ、正の屈折力を有する前群と、前記前群に対し前記第３レンズ群の中で最も長い空気間隔を隔てた負の屈折力を有する後群とからなり、前記第３レンズ群における前記正レンズ成分が、少なくとも前記後群に配置されることが好ましい。
【００１１】
また、上述の撮影レンズにおいて、前記第３レンズ群は、光軸に沿って物体側から順に並んだ、正の屈折力を有する前群と、前記前群に対し前記第３レンズ群の中で最も長い空気間隔を隔てた負の屈折力を有する後群とからなり、前記第３レンズ群における前記負レンズ成分が、少なくとも前記後群に配置されることが好ましい。
【００１２】
また、上述の撮影レンズにおいて、前記第３レンズ群のうち少なくとも一部のレンズが、光軸と垂直な方向の成分を有するように移動可能に設けられていることが好ましい。
【００１３】
また、上述の撮影レンズにおいて、前記第１レンズ群は、光軸に沿って物体側から順に並んだ、第１の正レンズ成分と、第２の正レンズ成分と、負レンズ成分とを有し、前記第１レンズ群における前記負レンズ成分よりも像側に第３の正レンズ成分が配置されることが好ましい。
【００１４】
また、上述の撮影レンズにおいて、以下の条件式を満足することが好ましい。
【００１５】
ｎL1f＜1.55
但し、
ｎL1f：前記第１レンズ群における前記第１から第３の正レンズ成分のうち少なくとも１つのｄ線の屈折率。
【００１６】
また、上述の撮影レンズにおいて、以下の条件式を満足することが好ましい。
【００１７】
νL1f＞80.0
但し、
νL1f：前記第１レンズ群における前記第１から第３の正レンズ成分のうち少なくとも１つのｄ線のアッベ数。
【００１８】
また、上述の撮影レンズにおいて、前記第１レンズ群における前記第１から第３の正レンズ成分のうち少なくとも１つが、前記第３の正レンズ成分であることが好ましい。
【００１９】
また、上述の撮影レンズにおいて、以下の条件式を満足することが好ましい。
【００２０】
0.010＜θg1p＋（0.00213×νd1p）−1.36716＜0.090
但し、
νd1p：前記第１レンズ群における少なくとも１つの正レンズ成分のｄ線のアッベ数、
θg1p：前記第１レンズ群における前記正レンズ成分のｄ線に対するｇ線の部分分散比であり、前記正レンズ成分のｄ線の屈折率をｎd1pとし、前記正レンズ成分のｇ線の屈折率をｎg1pとし、前記正レンズ成分のＦ線の屈折率をｎF1pとし、前記正レンズ成分のＣ線の屈折率をｎC1pとしたとき、次式
θg1p＝（ｎg1p−ｎd1p）／（ｎF1p−ｎC1p）
で定義される。
【００２１】
また、上述の撮影レンズにおいて、前記第１レンズ群は、光軸に沿って物体側から順に並んだ、前群と、前記前群に対し前記第１レンズ群の中で最も長い空気間隔を隔てた後群とからなり、以下の条件式を満足することが好ましい。
【００２２】
Ｄ1ab／Ｄ1＞0.28
但し、
Ｄ1：前記第１レンズ群の長さ、
Ｄ1ab：前記第１レンズ群における前記前群と前記後群との空気間隔。
【００２３】
また、本発明に係る光学機器は、物体の像を所定の面上に結像させる撮影レンズを備えた光学機器であって、前記撮影レンズとして本発明に係る撮影レンズを用いている。
【００２４】
また、本発明に係る撮影レンズの製造方法は、光軸に沿って物体側から順に、正の屈折力を有する第１レンズ群と、負の屈折力を有する第２レンズ群と、第３レンズ群とを配置する撮影レンズの製造方法であって、無限遠物体から有限距離物体への合焦の際、前記第２レンズ群が光軸に沿って移動し、以下の条件式を満足するようにしている。
【００２５】
ｎd3p＜1.65
−0.030＜θg3p＋（0.00213×νd3p）−1.36716＜−0.005
但し、
ｎd3p：前記第３レンズ群における少なくとも１つの正レンズ成分のｄ線の屈折率、
νd3p：前記第３レンズ群における前記正レンズ成分のｄ線のアッベ数、
θg3p：前記第３レンズ群における前記正レンズ成分のｄ線に対するｇ線の部分分散比であり、前記正レンズ成分のｇ線の屈折率をｎg3pとし、前記正レンズ成分のＦ線の屈折率をｎF3pとし、前記正レンズ成分のＣ線の屈折率をｎC3pとしたとき、次式
θg3p＝（ｎg3p−ｎd3p）／（ｎF3p−ｎC3p）
で定義される。
【発明の効果】
【００２６】
本発明によれば、小型軽量かつ良好な結像性能を得ることができる。
【図面の簡単な説明】
【００２７】
【図１】第１実施例に係る撮影レンズの無限遠合焦状態におけるレンズ構成図である。
【図２】第１実施例に係る撮影レンズの無限遠合焦状態における諸収差図である。
【図３】第２実施例に係る撮影レンズの無限遠合焦状態におけるレンズ構成図である。
【図４】第２実施例に係る撮影レンズの無限遠合焦状態における諸収差図である。
【図５】第３実施例に係る撮影レンズの無限遠合焦状態におけるレンズ構成図である。
【図６】第３実施例に係る撮影レンズの無限遠合焦状態における諸収差図である。
【図７】デジタル一眼レフカメラの断面図である。
【図８】撮影レンズの製造方法を示すフローチャートである。
【発明を実施するための形態】
【００２８】
以下、本願の好ましい実施形態について図を参照しながら説明する。本願に係る撮影レンズＭＬを備えたデジタル一眼レフカメラＣＡＭが図７に示されている。図７に示すデジタル一眼レフカメラＣＡＭにおいて、不図示の物体（被写体）からの光は、撮影レンズＭＬで集光されて、クイックリターンミラーＭを介して焦点板Ｆ上に結像される。焦点板Ｆ上に結像された光は、ペンタプリズムＰ中で複数回反射されて接眼レンズＥへと導かれる。これにより、撮影者は、接眼レンズＥを介して物体（被写体）の像を正立像として観察することができる。
【００２９】
また、撮影者によって不図示のレリーズボタンが押されると、クイックリターンミラーＭが光路外へ退避し、撮影レンズＭＬで集光された物体（被写体）からの光は、撮像素子Ｃ上に結像されて被写体の像を形成する。これにより、物体（被写体）からの光は、撮像素子Ｃ上に結像されて当該撮像素子Ｃにより撮像され、物体（被写体）の画像として不図示のメモリーに記録される。このようにして、撮影者はデジタル一眼レフカメラＣＡＭによる物体（被写体）の撮影を行うことができる。なお、クイックリターンミラーＭを有しないカメラであっても、上記カメラＣＡＭと同様の効果を得ることができる。また、図７に示すデジタル一眼レフカメラＣＡＭは、撮影レンズＭＬを着脱可能に保持する構成であってもよく、撮影レンズＭＬと一体に構成されるものであってもよい。
【００３０】
撮影レンズＭＬは、例えば図１に示すように、光軸に沿って物体側から順に並んだ、正の屈折力を有する第１レンズ群Ｇ１と、負の屈折力を有する第２レンズ群Ｇ２と、正または負の屈折力を有する第３レンズ群Ｇ３とを有している。この構成により、長焦点距離でありながら、小型化と高性能化を両立することができる。また、無限遠物体から近距離（有限距離）物体への合焦の際、第２レンズ群Ｇ２が光軸に沿って移動するようになっている。この構成により、比較的小型のモーターユニットで第２レンズ群Ｇ２（合焦レンズ群）を駆動することができる。
【００３１】
このような構成の撮影レンズＭＬにおいて、良好な結像性能を維持しつつ、小型軽量化を図るため、次の条件式（１）〜（２）で表される条件を満足することが好ましい。
【００３２】
ｎd3p＜1.65    …（１）
−0.030＜θg3p＋（0.00213×νd3p）−1.36716＜−0.005    …（２）
但し、
ｎd3p：第３レンズ群Ｇ３における少なくとも１つの正レンズ成分のｄ線の屈折率、
νd3p：第３レンズ群Ｇ３における前記正レンズ成分のｄ線のアッベ数、
θg3p：第３レンズ群Ｇ３における前記正レンズ成分のｄ線に対するｇ線の部分分散比であり、前記正レンズ成分のｇ線の屈折率をｎg3pとし、前記正レンズ成分のＦ線の屈折率をｎF3pとし、前記正レンズ成分のＣ線の屈折率をｎC3pとしたとき、次式
θg3p＝（ｎg3p−ｎd3p）／（ｎF3p−ｎC3p）
で定義される。
【００３３】
条件式（１）は、第３レンズ群Ｇ３における少なくとも１つの正レンズ成分に使われる硝材の屈折率を規定する式である。条件式（１）の上限値を上回る条件である場合、ペッツバール和がマイナス側に大きくなり、像面湾曲収差の補正が困難となる。
【００３４】
なお、本実施形態の効果をより確実なものとするために、条件式（１）の上限値を1.63とすることが望ましい。また、条件式（１）の上限値を1.62とすることがより望ましい。
【００３５】
条件式（２）は、第３レンズ群Ｇ３における少なくとも１つの正レンズ成分に使われる硝材の異常分散性を規定する式である。条件式（２）の上限値を上回る条件である場合、正レンズ成分のｄ線に対するｇ線の部分分散比が大きくなり、倍率色収差の補正が困難となる。一方、条件式（２）の下限値を下回る条件である場合、倍率色収差の補正が過剰となるため、好ましくない。
【００３６】
なお、本実施形態の効果をより確実なものとするために、条件式（２）の上限値を−0.006とすることが望ましい。また、条件式（２）の上限値を−0.007とすることがより望ましい。一方、本実施形態の効果をより確実なものとするために、条件式（２）の下限値を−0.015とすることが望ましい。また、条件式（２）の下限値を−0.012とすることがより望ましい。
【００３７】
また、このような撮影レンズＭＬにおいて、次の条件式（３）で表される条件を満足することが好ましい。
【００３８】
0.010＜θg3n＋（0.00213×νd3n）−1.36716＜0.090    …（３）
但し、
νd3n：第３レンズ群Ｇ３における少なくとも１つの負レンズ成分のｄ線のアッベ数、
θg3n：第３レンズ群Ｇ３における前記負レンズ成分のｄ線に対するｇ線の部分分散比であり、前記負レンズ成分のｄ線の屈折率をｎd3nとし、前記負レンズ成分のｇ線の屈折率をｎg3nとし、前記負レンズ成分のＦ線の屈折率をｎF3nとし、前記負レンズ成分のＣ線の屈折率をｎC3nとしたとき、次式
θg3n＝（ｎg3n−ｎd3n）／（ｎF3n−ｎC3n）
で定義される。
【００３９】
条件式（３）は、第３レンズ群Ｇ３における少なくとも１つの負レンズ成分に使われる硝材の異常分散性を規定する式である。条件式（３）の上限値を上回る条件である場合、負レンズ成分のｄ線に対するｇ線の部分分散比が大きくなり、倍率色収差の補正が過剰となるため、好ましくない。一方、条件式（３）の下限値を下回る条件である場合、倍率色収差の補正が困難となる。
【００４０】
なお、本実施形態の効果をより確実なものとするために、条件式（３）の上限値を0.080とすることが望ましい。また、条件式（３）の上限値を0.060とすることがより望ましい。一方、本実施形態の効果をより確実なものとするために、条件式（３）の下限値を0.012とすることが望ましい。また、条件式（３）の下限値を0.015とすることがより望ましい。
【００４１】
また、このような撮影レンズＭＬにおいて、第３レンズ群Ｇ３は、光軸に沿って物体側から順に並んだ、正の屈折力を有する前群Ｇ３ａと、この前群Ｇ３ａに対し第３レンズ群Ｇ３の中で最も長い空気間隔を隔てた負の屈折力を有する後群Ｇ３ｂとからなり、第３レンズ群Ｇ３における前記正レンズ成分が、少なくとも後群Ｇ３ｂに配置されることが好ましい。これにより、軸上色収差と倍率色収差の２次色収差を同時に補正することができる。
【００４２】
また、このような撮影レンズＭＬにおいて、第３レンズＧ３群は、上述の前群Ｇ３ａと後群Ｇ３ｂとからなり、第３レンズ群Ｇ３における前記負レンズ成分が、少なくとも後群Ｇ３ｂに配置されることが好ましい。これにより、軸上色収差と倍率色収差の２次色収差を同時に補正することができる。
【００４３】
また、このような撮影レンズＭＬにおいて、第３レンズ群Ｇ３のうち少なくとも一部のレンズが、光軸と垂直な方向の成分を有するように移動可能に設けられていることが好ましい。これにより、手ブレなどで振動した場合の光軸のずれを補正することができ、結像性能についても実用上問題の無いレベルまで補正することができる。
【００４４】
また、このような撮影レンズＭＬにおいて、第１レンズ群Ｇ１は、光軸に沿って物体側から順に並んだ、第１の正レンズ成分と、第２の正レンズ成分と、負レンズ成分とを有し、第１レンズ群Ｇ１における負レンズ成分よりも像側に第３の正レンズ成分が配置されることが好ましい。これにより、撮影レンズＭＬの小型化とコマ収差の補正を両立させることができる。
【００４５】
また、このような撮影レンズＭＬにおいて、次の条件式（４）で表される条件を満足することが好ましい。
【００４６】
ｎL1f＜1.55    …（４）
但し、
ｎL1f：第１レンズ群Ｇ１における第１から第３の正レンズ成分のうち少なくとも１つのｄ線の屈折率。
【００４７】
条件式（４）は、第１レンズ群Ｇ１における第１から第３の正レンズ成分のうち少なくとも１つに使われる硝材の屈折率の適切な範囲を規定する式である。条件式（４）で表される条件を満足することにより、撮影レンズＭＬの軽量化を達成することができ、像面湾曲収差を良好に補正することができる。
【００４８】
また、このような撮影レンズＭＬにおいて、次の条件式（５）で表される条件を満足することが好ましい。
【００４９】
νL1f＞80.0    …（５）
但し、
νL1f：第１レンズ群Ｇ１における第１から第３の正レンズ成分のうち少なくとも１つのｄ線のアッベ数。
【００５０】
条件式（５）は、第１レンズ群Ｇ１における第１から第３の正レンズ成分のうち少なくとも１つに使われる硝材のアッベ数の適切な範囲を規定する式である。条件式（５）で表される条件を満足することにより、撮影レンズＭＬの軽量化を達成することができ、軸上色収差を良好に補正することができる。
【００５１】
なお、第１レンズ群Ｇ１における第１から第３の正レンズ成分のうち、第３の正レンズ成分が条件式（４）または条件式（５）で表される条件を満足することで、像面湾曲収差、軸上色収差等の諸収差をより良好に補正することができる。
【００５２】
また、このような撮影レンズＭＬにおいて、次の条件式（６）で表される条件を満足することが好ましい。
【００５３】
0.010＜θg1p＋（0.00213×νd1p）−1.36716＜0.090    …（６）
但し、
νd1p：第１レンズ群Ｇ１における少なくとも１つの正レンズ成分のｄ線のアッベ数、
θg1p：第１レンズ群Ｇ１における前記正レンズ成分のｄ線に対するｇ線の部分分散比であり、前記正レンズ成分のｄ線の屈折率をｎd1pとし、前記正レンズ成分のｇ線の屈折率をｎg1pとし、前記正レンズ成分のＦ線の屈折率をｎF1pとし、前記正レンズ成分のＣ線の屈折率をｎC1pとしたとき、次式
θg1p＝（ｎg1p−ｎd1p）／（ｎF1p−ｎC1p）
で定義される。
【００５４】
条件式（６）は、第１レンズ群Ｇ１における少なくとも１つの正レンズ成分に使われる硝材の異常分散性を規定する式である。条件式（６）の上限値を上回る条件である場合、正レンズ成分のｄ線に対するｇ線の部分分散比が大きくなり、倍率色収差の補正が過剰となるため、好ましくない。一方、条件式（６）の下限値を下回る条件である場合、倍率色収差の補正が困難となる。
【００５５】
なお、本実施形態の効果をより確実なものとするために、条件式（６）の上限値を0.080とすることが望ましい。また、条件式（６）の上限値を0.075とすることがより望ましい。一方、本実施形態の効果をより確実なものとするために、条件式（６）の下限値を0.015とすることが望ましい。また、条件式（６）の下限値を0.030とすることがより望ましい。
【００５６】
また、このような撮影レンズＭＬにおいて、第１レンズ群Ｇ１は、光軸に沿って物体側から順に並んだ、前群Ｇ１ａと、この前群Ｇ１ａに対し第１レンズ群Ｇ１の中で最も長い空気間隔を隔てた後群Ｇ１ｂとからなり、次の条件式（７）で表される条件を満足することが好ましい。
【００５７】
Ｄ1ab／Ｄ1＞0.28    …（７）
但し、
Ｄ1：第１レンズ群Ｇ１の長さ、
Ｄ1ab：第１レンズ群Ｇ１における前群Ｇ１ａと後群Ｇ１ｂとの空気間隔。
【００５８】
条件式（７）は、第１レンズ群Ｇ１の長さＤ1と、前群Ｇ１ａと後群Ｇ１ｂとの空気間隔Ｄ1abの比を規定する式である。条件式（７）の下限値を下回る条件である場合、後群Ｇ１ｂが大型化し、重量が増加する。軽量化のために、例えば後群Ｇ１ｂの負レンズに使われているガラスを比重の軽いものに変更すると、屈折率が小さくなるので、結果として像面湾曲収差の補正が困難となる。
【００５９】
なお、本実施形態の効果をより確実なものとするために、条件式（７）の下限値を0.35とすることが望ましい。また、条件式（７）の下限値を0.40とすることがより望ましい。また、条件式（７）の下限値を0.50とすることがより望ましい。また、条件式（７）の下限値を0.60とすることがより望ましい。
【００６０】
このように、本実施形態によれば、小型軽量かつ良好な結像性能を有する撮影レンズＭＬおよび、これを備えた光学機器（デジタル一眼レフカメラＣＡＭ）を得ることが可能になる。
【００６１】
ここで、上述のような構成の撮影レンズＭＬの製造方法について、図８を参照しながら説明する。まず、円筒状の鏡筒内に、物体側から順に、正の屈折力を有する第１レンズ群Ｇ１と、負の屈折力を有する第２レンズ群Ｇ２と、第３レンズ群Ｇ３とを組み込む（ステップＳＴ１０）。そして、第２レンズ群Ｇ２を光軸に沿って移動させることにより、無限遠物体から有限距離物体へのフォーカシングが行われるように、第２レンズ群Ｇ２を駆動可能に構成する（ステップＳＴ２０）。
【００６２】
レンズの組み込みを行うステップＳＴ１０において、前述の条件式（１）〜（２）等を満足するように、第１レンズ群Ｇ１、第２レンズ群Ｇ２、および第３レンズ群Ｇ３を配置する。このような製造方法によれば、小型軽量かつ良好な結像性能を有する撮影レンズＭＬを得ることができる。
【実施例】
【００６３】
（第１実施例）
以下、本願の各実施例を添付図面に基づいて説明する。まず、本願の第１実施例について図１〜図２および表１を用いて説明する。図１は、第１実施例に係る撮影レンズＭＬ（ＭＬ１）の無限遠合焦状態におけるレンズ構成図である。第１実施例に係る撮影レンズＭＬ１は、光軸に沿って物体側から順に並んだ、正の屈折力を有する第１レンズ群Ｇ１と、負の屈折力を有する第２レンズ群Ｇ２と、開口絞りＳ１と、正の屈折力を有する第３レンズ群Ｇ３とを有して構成される。そして、無限遠物体から近距離（有限距離）物体への合焦の際、第２レンズ群Ｇ２が光軸に沿って像面Ｉ側に移動するようになっている。
【００６４】
第１レンズ群Ｇ１は、光軸に沿って物体側から順に並んだ、正の屈折力を有する前群Ｇ１ａと、この前群Ｇ１ａに対し第１レンズ群Ｇ１の中で最も長い空気間隔を隔てた正の屈折力を有する後群Ｇ１ｂとから構成される。第１レンズ群Ｇ１の前群Ｇ１ａは、物体側から順に、物体側に凸面を向けた保護フィルターガラスＨＧと、両凸形状の第１正レンズＬ１１と、両凸形状の第２正レンズＬ１２と、両凹形状の第１負レンズＬ１３とから構成される。第１レンズ群Ｇ１の後群Ｇ１ｂは、物体側から順に、物体側に凸面を向けたメニスカス形状の第２負レンズＬ１４と物体側に凸面を向けたメニスカス形状の第３正レンズＬ１５とが貼り合わされた接合レンズから構成される。
【００６５】
第２レンズ群Ｇ２は、物体側から順に、両凹形状の第１負レンズＬ２１と、物体側に凹面を向けたメニスカス形状の正レンズＬ２２と両凹形状の第２負レンズＬ２３とが貼り合わされた接合レンズとから構成される。
【００６６】
第３レンズ群Ｇ３は、光軸に沿って物体側から順に並んだ、正の屈折力を有する前群Ｇ３ａと、この前群Ｇ３ａに対し第３レンズ群Ｇ３の中で最も長い空気間隔を隔てた負の屈折力を有する後群Ｇ３ｂとから構成される。第３レンズ群Ｇ３の前群Ｇ３ａは、物体側から順に、両凸形状の第１正レンズＬ３１と、物体側に凹面を向けたメニスカス形状の第１負レンズＬ３２と、両凸形状の第２正レンズＬ３３とから構成される。第３レンズ群Ｇ３の後群Ｇ３ｂは、物体側から順に、両凹形状の第２負レンズＬ３４と両凸形状の第３正レンズＬ３５とが貼り合わされた接合レンズと、物体側に凸面を向けたメニスカス形状の第３負レンズＬ３６と物体側に凸面を向けたメニスカス形状の第４正レンズＬ３７とが貼り合わされた接合レンズとから構成される。また、第３レンズ群Ｇ３のうち、前群Ｇ３ａの第１正レンズＬ３１と、第１負レンズＬ３２と、第２正レンズＬ３３とを光軸とほぼ垂直な方向に適宜移動させることで、光学系の振動等に起因する像位置の変動が補正されるようになっている。
【００６７】
なお、第３レンズ群Ｇ３の後群Ｇ３ｂには、抜き差し交換可能な光学フィルターＦＬが配設されている。また、第３レンズ群Ｇ３と像面Ｉとの間には、フレアカット絞りＳ２が配設されている。抜き差し交換可能な光学フィルターＦＬとして、例えば、ＮＣフィルター（ニュートラルカラーフィルター）や、カラーフィルター、偏光フィルター、ＮＤフィルター（減光フィルター）、ＩＲフィルター（赤外線カットフィルター）等が用いられる。
【００６８】
以下に、表１〜表３を示すが、これらは第１〜第３実施例に係る撮影レンズの諸元の値をそれぞれ掲げた表である。各表の［諸元データ］において、ｆは撮影レンズ全系の焦点距離を、ＦＮＯはＦナンバーを、ωは半画角（最大入射角：単位は「°」）を、Ｙは半画角に対する像高を、ＴＬはレンズ全長（空気換算長）をそれぞれ示す。［レンズデータ］において、面番号は物体側から数えた各レンズ面の番号を、Ｒは各レンズ面の曲率半径を、Ｄは各レンズ面の間隔を、νｄはｄ線（波長λ＝５８７．６ｎｍ）に対するアッベ数を、ｎｄはｄ線（波長λ＝５８７．６ｎｍ）に対する屈折率を、θｇはｄ線の主分散に対するｇ線の部分分散比をそれぞれ示す。また、［レンズデータ］において、ｄ１およびｄ２は可変面間隔を、ＢＦはバックフォーカスをそれぞれ示す。
【００６９】
なお、曲率半径「0.000」は平面を示し、空気の屈折率ｎｄ＝1.000はその記載を省略している。また、ｄ線の主分散に対するｇ線の部分分散比θｇは、ｄ線（波長λ＝５８７．６ｎｍ）の屈折率をｎｄとし、ｇ線（波長λ＝４３５．８ｎｍ）の屈折率をｎｇとし、Ｆ線（波長λ＝４８６．１ｎｍ）の屈折率をｎＦとし、Ｃ線（波長λ＝６５６．３ｎｍ）の屈折率をｎＣとしたとき、次式（Ａ）のように定義される。
【００７０】
θｇ＝（ｎｇ−ｎｄ）／（ｎＦ−ｎＣ）    …（Ａ）
【００７１】
［可変間隔データ］において、ｆは撮影レンズ全系の焦点距離を、βは撮影倍率をそれぞれ示す。また、［可変間隔データ］には、各焦点距離および撮影倍率に対応する、物体から第１レンズ面までの距離Ｄ０の値と、各可変面間隔ｄ１，ｄ２の値と、バックフォーカス（空気換算長）ＢＦの値を示す。［条件式対応値］には、各条件式の対応値をそれぞれ示す。
【００７２】
なお、以下の全ての諸元値において掲載されている焦点距離ｆ、曲率半径Ｒ、その他の長さの単位は一般に「ｍｍ」が使われるが、光学系は、比例拡大または比例縮小しても同等の光学性能が得られるので、これに限られるものではない。また、後述の第２実施例の諸元値においても、本実施例と同様の符号を用いる。
【００７３】
下の表１に、第１実施例における各諸元を示す。なお、表１における第１面〜第３２面の曲率半径Ｒは、図１における第１面〜第３２面に付した符号Ｒ１〜Ｒ３２に対応している。
【００７４】
（表１）
［諸元データ］
ｆ＝587.99
ＦＮＯ＝4.07
２ω＝4.18
Ｙ＝21.60
ＴＬ＝475.68
［レンズデータ］
面番号      Ｒ          Ｄ          ｎｄ        νｄ        θｇ
1     1200.370      5.000      1.51680      63.88      1.22880
2     1199.790      1.000
3      212.089     18.290      1.49782      82.57      1.23337
4     -967.149      2.640
5      221.893     17.100      1.49782      82.57      1.23337
6     -608.425      3.310
7     -544.240      6.000      1.78800      47.35      1.25527
8      318.718    157.640
9       86.418      5.230      1.78800      47.35      1.25527
10      58.365     15.360      1.49782      82.57      1.23337
11     543.775      d1
12    -349.682      3.510      1.83481      42.73      1.26680
13      72.527      3.590
14    -171.944      5.470      1.84666      23.80      1.33610
15     -41.627      3.510      1.65844      50.84      1.25757
16     206.223      d2
17       0.000      5.000                                      （開口絞り）
18      95.391      7.690      1.49782      82.57      1.23337
19     -65.537      1.880
20     -63.461      1.500      1.80518      25.45      1.32898
21    -159.998      8.020
22     128.523      3.100      1.80100      34.92      1.29177
23    5121.618      8.264
24    -1122.610     1.600      1.59319      67.90      1.24061
25      36.024      7.180      1.61266      44.46      1.26442
26    -165.331      0.600
27   16066.862      1.600      1.83400      37.18      1.28258
28      38.350      5.210      1.61266      44.46      1.26442
29     242.718     26.000
30       0.000      2.000      1.51680      63.88      1.22880
31       0.000     43.828
32       0.000      BF                                  （フレアカット絞り）
［可変間隔データ］
無限遠合焦状態    近距離合焦状態
ｆ＝587.99        β＝-0.152
D0          ∞            4024.058
d1        45.101            55.103
d2        22.456            12.454
BF        37.000            37.006
［条件式対応値］
条件式（１）  ｎd3p＝1.61266
条件式（２）  θg3p＋（0.00213×νd3p）−1.36716＝−0.008
条件式（３）  θg3n＋（0.00213×νd3n）−1.36716＝0.018
条件式（４）  ｎL1f＝1.49782
条件式（５）  νL1f＝82.57
条件式（６）  θg1p＋（0.00213×νd1p）−1.36716＜0.090＝0.042
条件式（７）  Ｄ1ab／Ｄ1＝0.681
【００７５】
このように本実施例では、上記条件式（１）〜（７）が全て満たされていることが分かる。
【００７６】
図２は、第１実施例に係る撮影レンズＭＬ１の無限遠合焦状態における諸収差図である。各収差図において、ＦＮＯはＦナンバーを、Ｙは半画角に対する像高をそれぞれ示す。また、各収差図において、ｄはｄ線（λ＝５８７．６ｎｍ）、ｇはｇ線（λ＝４３５．８ｎｍ）における収差をそれぞれ示す。また、非点収差を示す収差図において、実線はサジタル像面を示し、破線はメリディオナル像面を示している。以上、収差図の説明は他の実施例においても同様である。
【００７７】
そして、各収差図より、第１実施例では、諸収差が良好に補正され、優れた結像性能を有していることがわかる。その結果、第１実施例の撮影レンズＭＬ１を搭載することにより、デジタル一眼レフカメラＣＡＭにおいても、優れた光学性能を確保することができる。
【００７８】
（第２実施例）
以下、本願の第２実施例について図３〜図４および表２を用いて説明する。図３は、第２実施例に係る撮影レンズＭＬ（ＭＬ２）の無限遠合焦状態におけるレンズ構成図である。第２実施例の撮影レンズＭＬ２は、光軸に沿って物体側から順に並んだ、正の屈折力を有する第１レンズ群Ｇ１と、負の屈折力を有する第２レンズ群Ｇ２と、開口絞りＳ１と、正の屈折力を有する第３レンズ群Ｇ３とを有して構成される。そして、無限遠物体から近距離（有限距離）物体への合焦の際、第２レンズ群Ｇ２が光軸に沿って像面Ｉ側に移動するようになっている。
【００７９】
第１レンズ群Ｇ１は、光軸に沿って物体側から順に並んだ、正の屈折力を有する前群Ｇ１ａと、この前群Ｇ１ａに対し第１レンズ群Ｇ１の中で最も長い空気間隔を隔てた正の屈折力を有する後群Ｇ１ｂとから構成される。第１レンズ群Ｇ１の前群Ｇ１ａは、物体側から順に、物体側に凸面を向けた保護フィルターガラスＨＧと、両凸形状の第１正レンズＬ１１とから構成される。第１レンズ群Ｇ１の後群Ｇ１ｂは、物体側から順に、物体側に凸面を向けたメニスカス形状の第２正レンズＬ１２と、両凹形状の負レンズＬ１３と、両凸形状の第３正レンズＬ１４と、物体側に凸面を向けたメニスカス形状の第２負レンズＬ１５とから構成される。
【００８０】
第２レンズ群Ｇ２は、物体側から順に、両凸形状の正レンズＬ２１と両凹形状の負レンズＬ２２とが貼り合わされた接合レンズから構成される。
【００８１】
第３レンズ群Ｇ３は、光軸に沿って物体側から順に並んだ、正の屈折力を有する前群Ｇ３ａと、この前群Ｇ３ａに対し第３レンズ群Ｇ３の中で最も長い空気間隔を隔てた負の屈折力を有する後群Ｇ３ｂとから構成される。第３レンズ群Ｇ３の前群Ｇ３ａは、物体側から順に、物体側に凸面を向けたメニスカス形状の第１負レンズＬ３１と両凸形状の第１正レンズＬ３２とが貼り合わされた接合レンズから構成される。第３レンズ群Ｇ３の後群Ｇ３ｂは、物体側から順に、両凸形状の第２正レンズＬ３３と両凹形状の第２負レンズＬ３４とが貼り合わされた接合レンズと、両凹形状の第３負レンズＬ３５と、両凸形状の第３正レンズＬ３６と、両凸形状の第４正レンズＬ３７と両凹形状の第４負レンズＬ３８とが貼り合わされた接合レンズとから構成される。また、第３レンズ群Ｇ３のうち、後群Ｇ３ｂの第２正レンズＬ３３および第２負レンズＬ３４と、第３負レンズＬ３５とを光軸とほぼ垂直な方向に適宜移動させることで、光学系の振動等に起因する像位置の変動が補正されるようになっている。
【００８２】
なお、第３レンズ群Ｇ３の後群Ｇ３ｂには、抜き差し交換可能な光学フィルターＦＬが配設されている。また、第３レンズ群Ｇ３と像面Ｉとの間には、フレアカット絞りＳ２が配設されている。抜き差し交換可能な光学フィルターＦＬとして、例えば、ＮＣフィルター（ニュートラルカラーフィルター）や、カラーフィルター、偏光フィルター、ＮＤフィルター（減光フィルター）、ＩＲフィルター（赤外線カットフィルター）等が用いられる。
【００８３】
下の表２に、第２実施例における各諸元を示す。なお、表２における第１面〜第３２面の曲率半径Ｒは、図３における第１面〜第３２面に付した符号Ｒ１〜Ｒ３２に対応している。
【００８４】
（表２）
［諸元データ］
ｆ＝585.22
ＦＮＯ＝4.01
２ω＝4.22
Ｙ＝21.60
ＴＬ＝467.84
［レンズデータ］
面番号      Ｒ          Ｄ          ｎｄ        νｄ        θｇ
1     1200.370      5.000      1.51680      63.88      1.22880
2     1199.790      1.000
3      231.463     17.100      1.49700      81.54      1.23183
4     -827.045     43.590
5      150.928     13.970      1.49700      81.54      1.23183
6     2404.803      2.590
7     -929.460      5.900      1.83481      42.71      1.26585
8      241.084     40.063
9      114.963     13.860      1.43385      95.25      1.23491
10    5495.725      0.500
11      82.336      5.000      1.51633      64.14      1.22783
12      64.627      d1
13     531.000      4.650      1.80518      25.42      1.32953
14    -258.162      3.300      1.83481      42.71      1.26585
15     132.986      d2
16       0.000      7.020                                      （開口絞り）
17     135.279      2.000      1.84666      23.88      1.33620
18      63.841      4.660      1.60311      60.64      1.23650
19    -366.301     11.931
20     100.368      2.750      1.84666      23.88      1.33620
21    -399.319      1.650      1.60311      60.64      1.23650
22      45.644      3.770
23    -148.755      1.600      1.80400      46.57      1.25682
24     104.351      3.093
25     121.099      2.800      1.61266      44.46      1.26442
26    -487.229      6.960
27      76.391      4.270      1.74950      35.25      1.29515
28    -267.531      1.900      1.84666      23.88      1.33620
29     225.191     12.000
30       0.000      2.000      1.51633      64.14      1.22783
31       0.000     64.770
32       0.000      BF                                  （フレアカット絞り）
［可変間隔データ］
無限遠合焦状態    近距離合焦状態
ｆ＝585.22        β＝-0.147
D0          ∞            4030.070
d1        46.022            62.331
d2        98.336            82.028
BF        33.789            33.785
［条件式対応値］
条件式（１）  ｎd3p＝1.61266
条件式（２）  θg3p＋（0.00213×νd3p）−1.36716＝−0.008
条件式（３）  θg3n＋（0.00213×νd3n）−1.36716＝0.020
条件式（４）  ｎL1f＝1.43385
条件式（５）  νL1f＝95.25
条件式（６）  θg1p＋（0.00213×νd1p）−1.36716＜0.090＝0.071
条件式（７）  Ｄ1ab／Ｄ1＝0.293
【００８５】
このように本実施例では、上記条件式（１）〜（７）が全て満たされていることが分かる。
【００８６】
図４は、第２実施例に係る撮影レンズＭＬ２の無限遠合焦状態における諸収差図である。各収差図より、第２実施例では、諸収差が良好に補正され、優れた結像性能を有していることがわかる。その結果、第２実施例の撮影レンズＭＬ２を搭載することにより、デジタル一眼レフカメラＣＡＭにおいても、優れた光学性能を確保することができる。
【００８７】
（第３実施例）
以下、本願の第３実施例について図５〜図６および表３を用いて説明する。図５は、第３実施例に係る撮影レンズＭＬ（ＭＬ３）の無限遠合焦状態におけるレンズ構成図である。第３実施例の撮影レンズＭＬ３は、光軸に沿って物体側から順に並んだ、正の屈折力を有する第１レンズ群Ｇ１と、負の屈折力を有する第２レンズ群Ｇ２と、開口絞りＳ１と、正の屈折力を有する第３レンズ群Ｇ３とを有して構成される。そして、無限遠物体から近距離（有限距離）物体への合焦の際、第２レンズ群Ｇ２が光軸に沿って像面Ｉ側に移動するようになっている。
【００８８】
第１レンズ群Ｇ１は、光軸に沿って物体側から順に並んだ、正の屈折力を有する前群Ｇ１ａと、この前群Ｇ１ａに対し第１レンズ群Ｇ１の中で最も長い空気間隔を隔てた正の屈折力を有する後群Ｇ１ｂとから構成される。第１レンズ群Ｇ１の前群Ｇ１ａは、物体側から順に、物体側に凸面を向けた保護フィルターガラスＨＧと、両凸形状の第１正レンズＬ１１と、両凸形状の第２正レンズＬ１２と、両凹形状の第１負レンズＬ１３とから構成される。第１レンズ群Ｇ１の後群Ｇ１ｂは、物体側から順に、物体側に凸面を向けたメニスカス形状の第２負レンズＬ１４と物体側に凸面を向けたメニスカス形状の第３正レンズＬ１５とが貼り合わされた接合レンズから構成される。
【００８９】
第２レンズ群Ｇ２は、物体側から順に、両凹形状の第１負レンズＬ２１と、物体側に凹面を向けたメニスカス形状の正レンズＬ２２と両凹形状の第２負レンズＬ２３とが貼り合わされた接合レンズとから構成される。
【００９０】
第３レンズ群Ｇ３は、光軸に沿って物体側から順に並んだ、正の屈折力を有する前群Ｇ３ａと、この前群Ｇ３ａに対し第３レンズ群Ｇ３の中で最も長い空気間隔を隔てた負の屈折力を有する後群Ｇ３ｂとから構成される。第３レンズ群Ｇ３の前群Ｇ３ａは、物体側から順に、両凸形状の第１正レンズＬ３１と、物体側に凹面を向けたメニスカス形状の第１負レンズＬ３２と、両凸形状の第２正レンズＬ３３とから構成される。第３レンズ群Ｇ３の後群Ｇ３ｂは、物体側から順に、両凹形状の第２負レンズＬ３４と両凸形状の第３正レンズＬ３５とが貼り合わされた接合レンズと、物体側に凸面を向けたメニスカス形状の第３負レンズＬ３６と物体側に凸面を向けたメニスカス形状の第４正レンズＬ３７とが貼り合わされた接合レンズとから構成される。また、第３レンズ群Ｇ３のうち、前群Ｇ３ａの第１正レンズＬ３１と、第１負レンズＬ３２と、第２正レンズＬ３３とを光軸とほぼ垂直な方向に適宜移動させることで、光学系の振動等に起因する像位置の変動が補正されるようになっている。
【００９１】
なお、第３レンズ群Ｇ３の後群Ｇ３ｂには、抜き差し交換可能な光学フィルターＦＬが配設されている。また、第３レンズ群Ｇ３と像面Ｉとの間には、フレアカット絞りＳ２が配設されている。抜き差し交換可能な光学フィルターＦＬとして、例えば、ＮＣフィルター（ニュートラルカラーフィルター）や、カラーフィルター、偏光フィルター、ＮＤフィルター（減光フィルター）、ＩＲフィルター（赤外線カットフィルター）等が用いられる。
【００９２】
下の表３に、第３実施例における各諸元を示す。なお、表３における第１面〜第３２面の曲率半径Ｒは、図５における第１面〜第３２面に付した符号Ｒ１〜Ｒ３２に対応している。
【００９３】
（表３）
［諸元データ］
ｆ＝587.99
ＦＮＯ＝4.07
２ω＝4.16
Ｙ＝21.60
ＴＬ＝476.79
［レンズデータ］
面番号      Ｒ          Ｄ          ｎｄ        νｄ        θｇ
1     1200.370      5.000      1.51680      63.88      1.22880
2     1199.790      1.000
3      219.582     18.290      1.49782      82.57      1.23337
4     -863.196      2.640
5      242.500     17.100      1.49782      82.57      1.23337
6     -523.157      3.310
7     -475.743      6.000      1.78800      47.35      1.25527
8      365.764    158.633
9       90.364      5.230      1.78800      47.35      1.25527
10      61.252     15.360      1.49782      82.57      1.23337
11     687.534      d1
12    -369.954      3.510      1.83481      42.73      1.26680
13      67.242      3.590
14    -102.193      5.470      1.84666      23.80      1.33610
15     -37.699      3.510      1.65844      50.84      1.25757
16   -7974.184      d2
17       0.000      5.000                                      （開口絞り）
18      89.307      7.690      1.43700      95.00      1.22609
19     -57.764      1.880
20     -54.995      1.500      1.73800      32.26      1.29739
21    -106.730      8.020
22     138.249      3.100      1.69680      55.52      1.23815
23   -2776.590      7.654
24    -249.478      1.600      1.49782      82.57      1.23337
25      31.866      7.180      1.55298      55.09      1.23989
26    -124.607      0.600
27    2147.369      1.600      1.79952      42.09      1.26904
28      31.176      5.210      1.61266      44.46      1.26442
29     198.622     26.000
30       0.000      2.000      1.51680      63.88      1.22880
31       0.000     43.828
32       0.000      BF                                  （フレアカット絞り）
［可変間隔データ］
無限遠合焦状態    近距離合焦状態
ｆ＝587.99        β＝-0.152
D0          ∞            4024.058
d1        47.057            57.059
d2        21.228            11.226
BF        37.001            36.951
［条件式対応値］
条件式（１）  ｎd3p＝1.55298
条件式（２）  θg3p＋（0.00213×νd3p）−1.36716＝−0.010
条件式（３）  θg3n＋（0.00213×νd3n）−1.36716＝0.042
条件式（４）  ｎL1f＝1.49782
条件式（５）  νL1f＝82.57
条件式（６）  θg1p＋（0.00213×νd1p）−1.36716＝0.042
条件式（７）  Ｄ1ab／Ｄ1＝0.682
【００９４】
このように本実施例では、上記条件式（１）〜（７）が全て満たされていることが分かる。
【００９５】
図６は、第３実施例に係る撮影レンズＭＬ３の無限遠合焦状態における諸収差図である。各収差図より、第３実施例では、諸収差が良好に補正され、優れた結像性能を有していることがわかる。その結果、第３実施例の撮影レンズＭＬ３を搭載することにより、デジタル一眼レフカメラＣＡＭにおいても、優れた光学性能を確保することができる。
【００９６】
以上、各実施例によれば、小型軽量かつ良好な結像性能を有する撮影レンズＭＬおよび光学機器（デジタル一眼レフカメラＣＡＭ）を実現することができる。
【００９７】
なお、上述の実施形態において、以下に記載の内容は、光学性能を損なわない範囲で適宜採用可能である。
【００９８】
上述の各実施例において、３群構成を示したが、４群等の他の群構成にも適用可能である。また、最も物体側にレンズまたはレンズ群を追加した構成や、最も像側にレンズまたはレンズ群を追加した構成でも構わない。また、レンズ群とは、変倍時に変化する空気間隔で分離された、少なくとも１枚のレンズを有する部分を示す。
【００９９】
また、単独または複数のレンズ群、または部分レンズ群を光軸方向に移動させて、無限遠物体から近距離物体への合焦を行う合焦レンズ群としてもよい。この合焦レンズ群は、オートフォーカスにも適用することができ、オートフォーカス用の（超音波モーター等を用いた）モーター駆動にも適している。特に、第２レンズ群を合焦レンズ群とするのが好ましい。
【０１００】
また、レンズ群または部分レンズ群を光軸に垂直な方向の成分を持つように移動させ、または、光軸を含む面内方向に回転移動（揺動）させて、手ブレによって生じる像ブレを補正する防振レンズ群としてもよい。特に、第３レンズ群の少なくとも一部を防振レンズ群とするのが好ましい。
【０１０１】
また、レンズ面は、球面または平面で形成されても、非球面で形成されても構わない。レンズ面が球面または平面の場合、レンズ加工および組立調整が容易になり、加工および組立調整の誤差による光学性能の劣化を防げるので好ましい。また、像面がずれた場合でも描写性能の劣化が少ないので好ましい。レンズ面が非球面の場合、非球面は、研削加工による非球面、ガラスを型で非球面形状に形成したガラスモールド非球面、ガラスの表面に樹脂を非球面形状に形成した複合型非球面のいずれの非球面でも構わない。また、レンズ面は回折面としてもよく、レンズを屈折率分布型レンズ（ＧＲＩＮレンズ）あるいはプラスチックレンズとしてもよい。
【０１０２】
また、開口絞りは第３レンズ群の近傍または内部に配置されるのが好ましいが、開口絞りとしての部材を設けずに、レンズの枠でその役割を代用してもよい。
【０１０３】
また、各レンズ面には、フレアやゴーストを軽減し高コントラストの高い光学性能を達成するために、広い波長域で高い透過率を有する反射防止膜を施してもよい。
【符号の説明】
【０１０４】
ＣＡＭ  デジタル一眼レフカメラ（光学機器）
ＭＬ  撮影レンズ
Ｇ１  第１レンズ群
Ｇ１ａ  前群                            Ｇ１ｂ  後群
Ｇ２  第２レンズ群
Ｇ３  第３レンズ群
Ｇ３ａ  前群                            Ｇ３ｂ  後群
Ｓ１  開口絞り                            Ｉ  像面
【図１】
2014211495.tif 000003
【図２】
2014211495.tif 000004
【図３】
2014211495.tif 000005
【図４】
2014211495.tif 000006
【図５】
2014211495.tif 000007
【図６】
2014211495.tif 000008
【図７】
2014211495.tif 000009
【図８】
2014211495.tif 000010